(57)【要約】【課題】手指で引き剥がすことによって簡単に開封口を開けることができ、しかも、常に一定の大きさの開封口を開けることのできる入浴剤入り包装体を提供すること。【解決手段】フィルム状蓋材４に閉曲線のミシン線４ａを設け、ミシン線で囲まれた領域を覆うように粘着シール５を剥離可能に接着させる。粘着シールを蓋材から剥離したとき、蓋材がミシン線で切断され、このミシン線で囲まれた領域４１が粘着シールと一体的に剥離して、蓋材に開封口が設けられる。【選択図】図３
2013103720.tif 000002
【特許請求の範囲】
【請求項１】
容器本体に粉末状入浴剤を収納し、容器本体の開口部にフィルム状蓋材をシールして構成される入浴剤包装体において、
前記フィルム状蓋材がミシン線を有しており、かつ、このミシン線は閉曲線を構成しており、
前記ミシン線で囲まれた領域を覆って粘着シールが前記蓋材に接着しており、この粘着シールは前記蓋材から剥離可能であり、
前記粘着シールを蓋材から剥離したとき、蓋材が前記ミシン線で切断され、このミシン線で囲まれた領域が粘着シールと一体的に剥離して、蓋材に開封口が設けられることを特徴とする入浴剤入り包装体。
【請求項２】
前記ミシン線が蓋材を貫通する切込みと、この切込みと切込みとの間のつなぎ部分とで構成されており、前記つなぎ部分の長さが０．７ｍｍ以下であることを特徴とする前記請求項１に記載の入浴剤入り包装体。
【請求項３】
前記蓋材が多層構造の積層材料から構成されており、この積層材料がその層構成中に二軸延伸ポリエステルフィルムとガスバリア層とを有することを特徴とする前記請求項１又は２に記載の入浴剤入り包装体。
【請求項４】
前記ガスバリア層がアルミニウム箔で構成されていることを特徴とする前記請求項３に記載の入浴剤入り包装体。
【請求項５】
前記ガスバリア層が、金属薄膜又は無機材料の薄膜を有するフィルムで構成されていることを特徴とする前記請求項３に記載の入浴剤入り包装体。
【発明の詳細な説明】
【技術分野】
【０００１】
本発明は、容器内部に粉末入浴剤を収納して密封した包装体に関するものである。
【背景技術】
【０００２】
粉末入浴剤は吸湿によって劣化しやすいことから、透湿度の低い容器内部に密封して市販されている。特許文献１〜２は粉末入浴剤入りの包装体に関する技術文献で、これらの文献に記載された包装体では、容器の筒状側壁と底壁とで容器本体を構成し、その開口部を蓋シールで密封している。筒状側壁は紙とポリエチレンテレフタレートフィルム（ＰＥＴフィルム）との積層材料で構成されており、また、底壁は、紙とＰＥＴフィルムとを中心層として、その両側にヒートシール性樹脂を配置した積層材料で構成し、筒状側壁の内側に底壁を接着して底を密封している。また、蓋シールはポリエチレンテレフタレートフィルム（ＰＥＴフィルム）製で、このＰＥＴフィルム製蓋シールを筒状側壁の開口部周縁にヒートシールすることによって密封し、さらに、この蓋シールの上からオーバーキャップを被せている。
【０００３】
図１は、入浴剤入りのこの包装体の斜視図である。また、図２は、オーバーキャップをはずした状態の斜視図である。
【０００４】
これらの図から分かるように、この包装体は、容器とオーバーキャップ２とで構成されており、容器は、筒状側壁と図示しない底壁とで構成された容器本体１を有しており、その開口部を蓋シール３で密封している。
【０００５】
蓋シール３は、容器本体１の開口部周縁にヒートシールされており、開口部周縁から外側に突出したプルタブ３ａを備えている。そして、このプルタブ３ａを起点として切り取り線３ｂが設けられている。
【０００６】
この包装体を開封する際には、まずオーバーキャップ２をはずした後、手指で前記プルタブ３ａから引っ張って、切り取り線３ｂに沿ってこの蓋シール３を切断して開封する。
【０００７】
しかしながら、プルタブ３ａから引っ張って蓋シール３を切断する方法によっては、その切断方向を精度良く制御することができず、このため、開封の都度、開封口の大きさが変化してしまうという問題があった。そして、その開封口が小さい場合には、内容物である入浴剤を取り出すことが困難となっていた。
【先行技術文献】
【特許文献】
【０００８】
【特許文献１】特開２０００−３０９３３０号公報
【特許文献２】特開２００１−５８６２７号公報
【発明の概要】
【発明が解決しようとする課題】
【０００９】
本発明はこのような事情に基づいてなされたもので、手指で引き剥がすことによって簡単に開封口を開けることができ、しかも、常に一定の大きさの開封口を開けることのできる入浴剤入り包装体を提供することを目的とするものである。
【課題を解決するための手段】
【００１０】
すなわち、請求項１に記載の発明は、容器本体に粉末状入浴剤を収納し、容器本体の開
口部にフィルム状蓋材をシールして構成される入浴剤包装体において、
前記フィルム状蓋材がミシン線を有しており、かつ、このミシン線は閉曲線を構成しており、
前記ミシン線で囲まれた領域を覆って粘着シールが前記蓋材に接着しており、この粘着シールは前記蓋材から剥離可能であり、
前記粘着シールを蓋材から剥離したとき、蓋材が前記ミシン線で切断され、このミシン線で囲まれた領域が粘着シールと一体的に剥離して、蓋材に開封口が設けられることを特徴とする入浴剤入り包装体である。
【００１１】
次に、請求項２に記載の発明は、前記ミシン線が蓋材を貫通する切込みと、この切込みと切込みとの間のつなぎ部分とで構成されており、前記つなぎ部分の長さが０．７ｍｍ以下であることを特徴とする前記請求項１に記載の入浴剤入り包装体である。
【００１２】
また、請求項３に記載の発明は、前記蓋材が多層構造の積層材料から構成されており、この積層材料がその層構成中に二軸延伸ポリエステルフィルムとガスバリア層とを有することを特徴とする前記請求項１又は２に記載の入浴剤入り包装体である。
【００１３】
また、請求項４に記載の発明は、前記ガスバリア層がアルミニウム箔で構成されていることを特徴とする前記請求項３に記載の入浴剤入り包装体である。
【００１４】
また、請求項５に記載の発明は、前記ガスバリア層が、金属薄膜又は無機材料の薄膜を有するフィルムで構成されていることを特徴とする前記請求項３に記載の入浴剤入り包装体である。
【発明の効果】
【００１５】
請求項１に記載の発明においては、容器本体の開口部を密封するフィルム状蓋材に閉曲線状のミシン線が設けられており、粘着シールを剥離したとき、この閉曲線状ミシン線で囲まれた領域が開口される。このように、開封口は、予め、前記閉曲線状ミシン線によって決定されているから、常に一定の大きさの開封口を開けることが可能である。
【００１６】
なお、前述のように、粉末入浴剤を吸湿から守るため、入浴剤入り包装体の蓋材には二軸延伸ポリエチレンテレフタレートフィルム（ＰＥＴフィルム）が使用されていることが多い。請求項２に記載の発明によれば、このような高強度のフィルムが使用されている場合であっても、ミシン線を構成する切込みが蓋材を貫通しており、しかも、つなぎ部分の長さが０．７ｍｍ以下であることから、確実に一定の大きさの開封口を開けることができる。
【００１７】
また、請求項３〜５に記載の発明によれば、フィルム状蓋材が、その層構成中にガスバリア層を有するため、例えばリネモン、メントールなどの香料成分の透過を防止して、入浴剤の保存性を高めながら、しかも、一定の大きさの開封口を開けることのできる包装体を得ることができる。
【図面の簡単な説明】
【００１８】
【図１】従来の粉末入浴剤入り包装体の説明用斜視図
【図２】オーバーキャップをはずした状態を示す従来の粉末入浴剤入り包装体の説明用斜視図
【図３】本発明の実施形態の要部説明図
【図４】図３のＡ−Ａ’線における要部断面図
【図５】開封状態を示す本発明の実施形態の要部断面図
【発明を実施するための形態】
【００１９】
本発明に係る入浴剤入り包装体は、容器本体１と、この容器本体に収納された粉末状入浴剤と、容器本体の開口部にシールしてその開口部を密封するフィルム状蓋材４と、この蓋材４に接着された粘着シール５とを必須の構成要素とするものである。
【００２０】
容器本体１はその上部に開口部を有しており、フィルム状蓋材４はこの開口部の周縁にシールされて、開口部を閉鎖密封している。
【００２１】
このフィルム状蓋材４は、内容物である入浴剤の吸湿を防ぐため、また、フィルム状蓋材４のカールを防ぐため、その層構成中に二軸延伸ポリエステルフィルム（ＰＥＴフィルム）を含む積層材料で構成されていることが望ましい。また、入浴剤中の香料成分の透過を防止するため、前記ＰＥＴフィルムに加えてガスバリア層を含む多層構造の積層材料から構成されていることが望ましい。ガスバリア層の具体的材質やフィルム状蓋材４の具体的層構成については後述する。
【００２２】
次に、このフィルム状蓋材４には、その一部にミシン線４ａが設けられており、このミシン線４ａは閉曲線を構成している。図中、４１はこのミシン線に囲まれた領域である。このため、後述するように、粘着シール５をフィルム状蓋材４から引き剥がしたとき、フィルム状蓋材４はこのミシン線４ａで切断され、ミシン線４ａに囲まれた領域４１は粘着シール５と共に一体的に剥離して、蓋材４に開封口が設けられる。ミシン線４ａは円形であっても良いし、楕円形であってもよい。
【００２３】
なお、このミシン線は、蓋材４を貫通する切込みと、この切込みと切込みとの間のつなぎ部分とで構成されており、このつなぎ部分はその長さが０．７ｍｍ以下であることが望ましい。つなぎ部分の長さが０．７ｍｍ以下である場合には、蓋材４の層構成中にＰＥＴフィルムが含まれる場合であっても、粘着シール５を蓋材４から引き剥がしたとき、このミシン線４ａで蓋材４を確実に切断することができる。つなぎ部分の長さがこれより長い場合、例えば１．０ｍｍの場合には、粘着シール５を引き剥がしても蓋材４を切断することができず、このため、粘着シール５はミシン線４ａに囲まれた領域４１から剥離して、蓋材４に開封口を設けることができない。
【００２４】
次に、本発明に係る入浴剤入り包装体では、ミシン線４ａで囲まれた前記領域４１を覆って粘着シール５が蓋材４に接着している。図４において、６が粘着シールに塗布された粘着剤を示しており、ミシン線で囲まれた前記領域４１を覆う区域５１には、この粘着剤６が塗布されている。なお、この粘着シールは前記蓋材から手指で容易に剥離可能に接着されていることが必要であり、その接着強度は、０．５Ｎ以上５Ｎ未満であることが望ましい。５Ｎ以上の場合には、手指で粘着シール５を引き剥がすことが困難である。他方、０．５Ｎより小さい場合には、粘着シール５を引き剥がしても、粘着シール５はミシン線４ａに囲まれた領域４１から剥離して蓋材４に開封口を設けることができない。
【００２５】
なお、蓋材４の領域４１を覆う区域５１の他に、この粘着シール５には、引き剥がす際の便宜のため、プルタブ５ａを設けることができる。このプルタブ５ａは粘着シール５の端部から突出するように設けることが望ましく、このプルタブ５ａの領域では粘着剤６が塗布されておらず、蓋材４と接着していないことが望ましい。そして、プルタブ５ａを設けた場合には、引き剥がし方向の反対側の端部５３と領域４１を覆う区域５１との間に、非接着区域５２を設けてこの非接着区域５２を剥離停止部とすることが可能である。
【００２６】
次に、本発明に係る入浴剤入り包装体は、次のような方法で開封することができる。すなわち、図５に示すように、プルタブ５ａを手指で把持して粘着シール５を引き剥がすことにより、フィルム状蓋材４はこのミシン線４ａで切断され、ミシン線４ａに囲まれた領
域４１は粘着シール５と共に一体的に剥離して、蓋材４に開封口が設けられる。この開封口はミシン線４ａの形状によって決定されるから、常に一定の形状かつ大きさの開封口を形成できる。
【００２７】
次に、本発明に係る容器本体１は、入浴剤を収納することから、防湿性と保香性とを有するものが使用できる。例えば、金属製の容器である。また、防湿性と保香性とを有する合成樹脂製容器を使用することもできる。また、特許文献１〜２に記載のように、紙の両面に防湿性・保香性プラスチックフィルムを積層した積層材料を使用して筒状側壁を構成し、同様の積層材料で構成した底壁を筒状側壁の底部内面に接着することで容器本体としてもよい。このように紙を主体とした積層材料を使用して作成した容器本体１は、そのコスト面で有利である。
【００２８】
フィルム状蓋材４としては、前述のように、二軸延伸ポリエステルフィルムとガスバリア層とを有する積層材料が好ましく使用できる。このほか、容器本体１の開口部周縁にシールするため、フィルム状蓋材４は、その層構成中にヒートシール層を有することが望ましい。また、そのほかのプラスチッックフィルムや紙を層構成中に有する積層材料であってもよい。
【００２９】
これらの各材料のうち、ガスバリア層は、香料成分の透過を防止する役割を有するもので、例えば、アルミニウム箔を使用することができる。
【００３０】
また、ガスバリア層として、基材フィルム上に金属薄膜や無機材料の薄膜を形成したフィルムを使用することも可能である。基材フィルムとしては、ＰＥＴフィルム、ポリエチレンナフタレートフィルム、ポリブチレンテレフタレートフィルム、ポリエチレンフィルム、ポリプロピレンフィルム、ナイロン−６フィルム、ナイロン−６６フィルムなどが使用できる。金属薄膜としては、アルミニウムの薄膜が例示できる。また、無機材料の薄膜としては、酸化ケイ素の薄膜、酸化アルミニウムの薄膜、酸化マグネシウムの薄膜などが例示できる。いずれの薄膜も、真空蒸着法、スパッタリング法、ＣＶＤ法等の気相堆積法によって、前記基材フィルム上に設けることが可能である。
【００３１】
また、ヒートシール層としては、ポリオレフィン系樹脂が使用できる。例えば、低密度ポリエチレン、中密度ポリエチレン等のポリエチレンである。また、ポリプロピレン樹脂やポリブテン樹脂を使用することも可能である。また、２種類以上のオレフィンモノマーを共重合させて得られた共重合ポリオレフィン系樹脂を使用することもできる。このような共重合ポリオレフィン系樹脂としては、エチレンとプロピレンとのランダム共重合体、エチレンとプロピレンとのブロック共重合体、エチレンとブテンとの共重合体、プロピレンとブテンとの共重合体などが例示できる。また、オレフィンモノマーとオレフィン以外のモノマーとの共重合体を使用することも可能である。例えば、エチレン−酢酸ビニル共重合体やエチレン−（メタ）アクリル酸共重合体などが例示できる。また、これらの変性体を使用することも可能である。変性体の例としては、アイオノマーが例示できる。そして、これらの混合物を使用することも可能である。混合物の例としては、低密度ポリエチレンとポリブテンとの混合物を好ましく例示することができる。
【００３２】
次に、フィルム状蓋材４の層構成の例として、「ＰＥＴフィルム／紙／ＰＥＴフィルム／アルミニウム箔／ヒートシール層」を挙げることができる。この層構成においては、紙が２枚のＰＥＴフィルムによって挟まれているから、紙が吸湿することがなく、たとえ多少吸湿したとしても、カールすることはない。
【００３３】
また、その層構成の例として、「ＰＥＴフィルム／アルミニウム箔／ＰＥＴフィルム／ヒートシール層」を挙げることもできる。
【００３４】
なお、これら蓋材４にミシン線４ａを設ける方法は、公知のいずれの方法によってもよい。
【００３５】
次に、粘着シール５としてはプラスチックフィルムを使用できる。例えば、ポリエチレンフィルム、ポリプロピレンフィルム、ポリエステルフィルム、ポリアミドフィルム、ポリ塩化ビニルフィルムなどである。あるいは、これらプラスチックフィルムに対して金属箔や紙を積層した積層シートを使用してもよい。また、フィルム状蓋材４と同様に、ガスバリア層を積層してもよい。
【００３６】
また、この粘着シール５に塗布する粘着剤６は公知の粘着剤を使用できる。例えば、ポリエステル系、アクリル系、あるいはゴム系の粘着剤である。
【実施例】
【００３７】
次に実施例に基づいて本発明を説明する。
【００３８】
特許文献１〜２に記載のように、紙の両面に防湿性・保香性プラスチックフィルムを積層した積層材料を使用して筒状側壁を構成し、同様の積層材料で構成した底壁を筒状側壁の底部内面に接着することにより、容器本体１を製造した。
【００３９】
次に、蓋材用積層材料は、次のように製造した。
【００４０】
まず、厚み１２μｍのＰＥＴフィルムと坪量１０４ｇ／ｍｍ２の紙とを、ドライラミネーション法によって接着し、積層材料Ａとした。
【００４１】
また、これと並行して、厚み１２μｍのＰＥＴフィルムと厚み１５μｍのアルミニウム箔とをドライラミネーション法によって接着し、更にそのアルミニウム箔面にヒートシールフィルムをドライラミネーション法によって接着して、積層材料Ｂとした。なお、ヒートシールフィルムとしては、厚さ３０μｍの低密度ポリエチレンフィルムを使用した。
【００４２】
次に、積層材料Ａの紙の面と、積層材料ＢのＰＥＴフィルムの面との間に、ポリエチレンを溶融押出し、この溶融したポリエチレンによって積層材料Ａと積層材料とを接着して、蓋材用積層材料とした。
【００４３】
この蓋材用積層材料の層構成を改めて示せば、「ＰＥＴ／接着剤／紙／ポリエチレン／ＰＥＴ／接着剤／アルミニウム箔／接着剤／ヒートシールフィルム」である。
【００４４】
次に、この蓋材用積層材料を所定形状に打ち抜き、併せてミシン線４ａを設けて、後述するように、３種類の蓋材４（実施例１の蓋材、比較例１及び３の蓋材、比較例２及び４の蓋材）を製造した。
【００４５】
次に、粘着シール５としては、基材フィルムに対して、所定形状に粘着剤を塗布したものを使用した。
【００４６】
そして、前記容器本体１の開口部に３種類の前記蓋材４をそれぞれ重ね、その周縁部でヒートシールして、容器本体１の開口部を閉鎖して密封した。次に、この蓋材４上に、前記粘着シールを接着して、実施例１及び比較例１〜４の包装体を製造した。
【００４７】
実施例１及び比較例１〜４の包装体において、蓋材のミシン線４ａの形状は円であり、この点では、実施例１及び比較例１〜４のいずれでも同一である。そして、実施例１では
、この円を７等分することによって、切込みと切込みとの間のつなぎ部分を合計７個設けており、そのつなぎ部分の長さは０．５ｍｍである。比較例１及び比較例３の蓋材では、つなぎ部分の数は実施例１と同様に７個であるが、その長さを１．０ｍｍとしている。また、比較例２及び比較例４の蓋材では、前記円を３等分することによって、切込みと切込みとの間のつなぎ部分を合計３個設けている。また、比較例２及び比較例４の蓋材において、そのつなぎ部分の長さは１．０ｍｍである。
【００４８】
また、実施例１及び比較例１〜２では、粘着シール５と蓋材４との接着強度は１Ｎである。これに対して、比較例３〜４では、５Ｎである。
【００４９】
これら各例におけるつなぎ部分の数と長さ、粘着シール５と蓋材４との接着強度については、整理して表１に示す。
【００５０】
そして、これら各例のプルタブ５ａを手指で把持して粘着シール５を引き剥がした。このときの引き剥がし易さの有無、引き剥がしたときの開封口の有無について、表１に示す。
【００５１】
【表１】
2013103720.tif 000003
表１から分かるように、つなぎ部分の数が７、長さ０．５ｍｍで、接着強度が１Ｎの場合（実施例１）には、手指で引き剥がすことによっても剥離し易く、しかも、剥離によって開封口を設けることができる。したがって、その開封口の位置、形状、大きさは常に一定である。
【００５２】
これに対して、つなぎ部分の数と接着強度が実施例１と同じであっても、つなぎ部分の長さが長い場合（比較例１、つなぎ部分の長さ１．０ｍｍ）には、粘着シール５はミシン線４ａに囲まれた領域４１から剥離して、その粘着シール５だけが蓋材から剥れてしまい、開封口を設けることができない。なお、つなぎ部分の長さが長い（１．０ｍｍ）場合には、その数を減らした場合（比較例２、つなぎ部分の数３）にも同様である。
【００５３】
この結果から、手指で粘着シール５を引き剥がすことによって開封口を設けるためには、つなぎ部分の長さが０．５ｍｍであれば十分であるが、１ｍｍ未満であることが必要なことが分かる。その限界は０．７ｍｍ程度と推測できる。また、つなぎ部分の数は関係しない。
【００５４】
次に、接着強度が高い（５Ｎ）場合（比較例３〜４）には、そもそも手指で粘着シール５を引き剥がすこと自体が困難である。これはつなぎ部分の数は関係しない。
【符号の説明】
【００５５】
１    容器本体
４    フィルム状蓋材
４ａ  ミシン線
４１  ミシン線に囲まれた領域
５    粘着シール
【図１】
2013103720.tif 000004
【図２】
2013103720.tif 000005
【図３】
2013103720.tif 000006
【図４】
2013103720.tif 000007
【図５】
2013103720.tif 000008